(57)【特許請求の範囲】
【請求項１】
水道配水管網の滞留水の発生する箇所の捨水配管部に設けられ、捨水される水道水の水
質検査装置であって、
前記捨水配管部に接続して、前記捨水配管部から水道水を流通させる取水配管部と、
前記取水配管部から流通させた前記水道水の水質を検査する水質センサと、
前記水質センサの出力から前記水道水が所定の水質基準範囲内であるか否かを判定する捨
水制御部と、
前記水質センサの出力を記録する記録部と、
前記捨水制御部の水質の判定出力で前記水道水の流れを流通もしくは遮断する電磁弁と、
前記水質センサ、前記記録部、及び前記電磁弁に供給する蓄電機能を備えた電源部とを
備え、
捨水配管部から流入した水道水の水質を自動的に検査することを特徴とする可搬型捨水検
査装置。
【請求項２】
前記水質センサには、少なくとも遊離残留塩素濃度の測定が可能な残留塩素計を含むこ
とを特徴とする請求項１に記載の可搬型捨水検査装置。
【発明の詳細な説明】
【技術分野】
【０００１】
本発明は、上水道の水道配水管網の捨水による水道水の可搬型捨水検査装置に関する。
【背景技術】
【０００２】
水道水は浄水場において次亜塩素酸ソーダを添加することにより塩素による殺菌を実施
している。浄水場から各需要家に至るまでの夫々の水道配水管網においては、水道水が使
用されないで滞留した場合、水道配水管網内の夫々の貯水槽等の滞留部分で塩素が抜けて
しまい塩素濃度が低下する。
【０００３】
このため、必要な残留塩素濃度を確保するために、予め定められた水道配水管網の監視
ポイントや、水道水が滞留している水道配水管網の配管の末端において水道水を捨て（以
後、捨水と称す）、水道水を流動させ、残留塩素濃度の高い水道水を流通させて水質を確
保するようにしている。
【０００４】
この捨水には、予め捨水量を定めて常時捨水する常時捨水と、定期的に捨水する定期的
捨水とがあるが、いずれの場合も水道法で定められる水質基準を満足しているか否かの水
質検査は、毎日行われている。
【０００５】
この水質基準には、例えば、遊離残留塩素を０．１ｍｇ／Ｌ以上を保持することが定め
られており、毎日の検査で、この基準が満たされていない場合には、この値以上となるま
で捨水を継続して水質基準以上となるように捨水を継続する。
【０００６】
例えば、図２（ａ）に示すように、水道配水管網１は、浄水場２から各需要家の端末へ
、多数の配管の分岐接点部３ｉを備えている。
【０００７】
そして、例えば、分岐接点部３は、捨水配管１ａと水道配水管網１の一部を構成する本
管配管部１ｂとからなり、手動弁３ａ１及び手動弁３ａ２を備え、手動弁３ａ１は開とな
って常時水道水が流れ、捨水配管部１ａでは手動弁３ａ２が閉となって水道水が滞留して
いる状態となっている。
【０００８】
分岐接点部３の本管配管部１ｂ側を流れる水道水の使用量が少ないと、この本管灰幹部
ｂから供給される水道水の遊離残留塩素濃度も低下することになり、水質基準が確保でき
ない状態が発生する。
【０００９】
このような分岐接点部３において手動弁３ａ２を操作してこの弁を開とし、滞留状態の
捨水配水管部１ａの水道水を定期的に捨水し、この捨水サンプルを採って水質を分析し、
水質基準を検査するようにしている。
【００１０】
このような水質基準の管理を行うために、浄水場などの貯水槽に塩素成分を選択的に管
理する脱塩素水供給装置がある（例えば、特許文献１参照。）。
【００１１】
この貯水槽から延設した送水管の途中に設けた送水ポンプを備える脱塩素水供給装置に
おいては、送水管の途中に設けた脱塩素装置と、この送水管の途中にこの脱塩素装置を迂
回するように設けた脱塩素装置用バイパス管と、この脱塩素装置用バイパス管に設けた脱
塩素装置バイパス用開閉弁と、送水管の終端側に接続した捨水用開閉弁と、送水ポンプを
駆動する電動モータに給電する蓄電装置とを備え、この捨水弁が閉であることを検出し、
送水管を介して供給される水道水の無送水時間を積算して規定時間に達した場合に、捨水
弁を一定の時間だけ開とする脱塩素水、または塩素含有水を選択的に供給できるようにし
ている。
【特許文献１】特開２０００−３３４４６９号公報（第１頁、図１）
【発明の開示】
【発明が解決しようとする課題】
【００１２】
特許文献１に示される脱塩素水供給装置によっては、捨水を必要とする滞留水配管部ご
とに個別に脱塩素水供給設備を設けることによる、設備の管理や保守にかかわる手間を削
減する問題は軽減されるが、任意の場所で発生する滞留状態の水道水配管網の全ての水質
を直接計測して確実な水質管理をすることが出来ない問題が発生する。
【００１３】
従来、残留塩素濃度等の水質検査は、予め定められた水道水配管網の全ての監視箇所（
捨水配管部）において、捨水をサンプリングして定期的に検査が行われている。
【００１４】
しかしながら、この捨水の必要な箇所は、例えば、新設のビル、休止している設備など
、使用されていない水道配水管網などにおいて、多数、且つ、広域に、任意の捨水場所で
発生するため、その水質検査の作業には多大な手間を要する問題が発生する。
【００１５】
また、従来、この水質検査のため捨水配水管部１ａからの捨水量は、一定時間以上捨水
する時間管理としているため、不必要な捨水が避けられず、この時間分に相当した水道水
の無駄な捨水が発生する問題もある。
【００１６】
本発明は、上記問題を解決するためになされたもので、水道配水管網の捨水配水管部に
おける水質検査と捨水時間とを短縮して、無駄な捨水量をなくし多数の水道配水管網での
捨水作業を効率的に短時間で行うことが可能な可搬型捨水検査装置を提供することを目的
とする。
【課題を解決するための手段】
【００１７】
上記目的を達成するために、水道配水管網の滞留水の発生する箇所の捨水配管部に設け
られ、捨水される水道水の水質検査装置であって、前記捨水配管部に接続して、前記捨水
配管部から水道水を流通させる取水配管部と、前記取水配管部から流通させた前記水道水
の水質を検査する水質センサと、前記水質センサの出力から前記水道水が所定の水質基準
範囲内であるか否かを判定する捨水制御部と、前記水質センサの出力を記録する記録部と
、前記捨水制御部の水質の判定出力で弁を開閉して前記水道水の流れを流通もしくは遮断
させる電磁弁と、前記水質センサ、前記記録部、及び前記電磁弁に供給する蓄電機能を備
えた電源部とを備え、捨水配管部から流入した水道水の水質を自動的に検査することを特
徴とする。
【００１８】
上記目的を達成するために、本発明の可搬型捨水検査装置の前記水質センサには、少な
くとも遊離残留塩濃度の測定可能な残留塩素計を含むことを特徴とする。
【発明の効果】
【００１９】
本発明によれば、水道配水管網の水道水の滞留が発生する箇所の捨水配水管部とワンタ
ッチで接続可能な取水配管部と、前記取水配管部から流通させた水道水の水質を自動的に
検出する水質センサと、この水質センサからの出力が、所定の水質基準内であるか否かを
判定する捨水制御部と、前記捨水制御部の出力で流通させた水道水の流れを停止もしくは
流通させる電磁弁とを備え、さらに、前記水質センサの出力を記録する記録部とを備えた
ので、前記捨水配管部での水道水の水質の検査を自動的に行え、且つ、所定の水質基準内
であると自動的に捨水をストップさせるようにしたので、手間の掛からない、無駄な捨水
量を軽減できる捨水配管部での水質の検査が可能となる。
【００２０】
また、前記水質センサ、前記記録部、及び前記電磁弁に供給する蓄電機能を備えた電源
部を備えたので、車のバッテリからの充電も可能であり、車載した場合、広域にわたる多
数の捨水箇所での水道水の水質の検査を短時間で可搬可能な可搬型水質検査装置を提供す
ることが出来る。
【発明を実施するための最良の形態】
【００２１】
以下、本発明による実施例について図１を参照して説明する。図１は、本発明による可
搬型水質検査装置の構成を示す。
【００２２】
図２に示す各部と同一部分は、同じ符号を付しその説明を省略する。可搬型水質検査装
置５は、図２に示す水道配水管網１の夫々の配管の分岐接点部３ｉや、図示しない配管端
末において、予め予測される水道水の滞留が発生する箇所の水質の検査箇所、即ち、捨水
配水管部１ａから水道水を流通させて検査を行うものである。
【００２３】
そして、可搬型水質検査装置５は、捨水配管部１ａと容易に接続可能でフレキシブルな
配管で水道水を流通するための取水配管部５ａと、取水配管部５ａから後述する捨水口５
ｃに至る配管路を開閉する電磁弁５ｂと、電磁弁５の出口から所定の排水口に排水するた
めの捨水口５ｃと、前記配管路から分岐し通取水し、流通させた水道水の水質を検査する
残留塩素計５ｄとからなる。
【００２４】
さらに、水道配水管網１の末端の夫々の給水点で要求される水質基準、遊離残留塩素濃
度０．１ｍｇ／Ｌ以上を満足するように、この残留塩素計５ｄが設けられる箇所での残留
濃度計５ｄの出力が予め設定される残留塩素濃度以上の値が確保されているか否かを判定
する捨水制御部５ｅと、残留塩素計５ｄの出力を記録する記録部５ｆと、この可搬型水質
検査装置５内の各部に供給する蓄電機能を備えた電源部５ｇとからなる。
【００２５】
次に、各部の構成について説明する。取水配管部５ａは、例えば、捨水配管部１ａとワ
ンタッチで接続可能なジョイント部を備えるフレキシブルチューブで構成される。
【００２６】
また、捨水配水管部１ａとの取水配管部５ａの接続部は、捨水配管部１ａの種々の管径
と適合するように異径変換可能なジョイント部が装着可能な構成としておく。
【００２７】
このような取水配管部５ａを備えることで、種々の捨水箇所から水道水を容易に流通さ
せることが出来る。尚、この、ジョイント部を手動弁３ａ２の直前に設けるようにすれば
、この手動弁３ａ２の開閉走査が不要となる。
【００２８】
次に、取水配管部５ａから取水し、捨水口５ｃに至る水道水を流通させる配管路の開閉
をする電磁弁５ｂは、配管路の径に適合するものであれば良い。
【００２９】
また、この配管路から分岐して取水した水道水の遊離残留塩素の濃度を測定する残留塩
素計５ｄは、その測定範囲が、０〜２．０ｍｇ／Ｌ、測定分解能が、０．１ｍｇ／Ｌ以上
の性能を満たすものであればよく、例えば、ガルバニ電池法を測定原理とする小型、低消
費電力の残留塩素計５ｄが使用される。
【００３０】
捨水制御部５ｅは、残留塩素計５ｄの出力が、水質基準の０．１ｍｇ／Ｌ以上であるか
否かを判定し、０．１ｍｇ／Ｌ以上の時に電磁弁５ｂを閉とする制御信号を電磁弁５ｂに
出力する。
【００３１】
また、蓄電機能を有する電源部５ｇは、可搬型水質検査装置５が、１人で車載及び移動
しやすいように、使用される電源消費量とその使用時間とから、極力小型軽量の構成とし
ておく。
【００３２】
この電源部５ｇは、使用する車のバッテリと並列に接続して使用できる、車上充電が可
能な構成とすることも出来る。
【００３３】
次に、このように構成された可搬型水質検査装置５の動作について説明する。
【００３４】
通常、この可搬型水質検査装置５は、車載され所定の捨水配管部１ａの存在する場所に
輸送される。
【００３５】
そして、可撚性を有する取水配管部５ａを捨水配管部１ａの接続部に取り付け、電磁弁
５ｂを開にして、取水した水道水を捨水口５ｃから放水して、水道水を流通させる。
【００３６】
そして、この流通させた水道水の残留塩素濃度を残留塩素計５ｄで測定する。この時、
残留塩素計５ｄの出力が０．１ｍｇ／Ｌの場合には、捨水制御部５ｅから電磁弁５ｂを閉
とする制御信号が出力され、電磁弁５ｂの弁を閉じて配管路からの捨水を中止する。
【００３７】
そして、取水配管部５ａを捨水配管部１ａの接続部から取り外し、水質検査と捨水作業
を終了する。
【００３８】
以上説明したように本発明によれば、捨水配管部１ａへの接続・取り外し以外は、水質
検査と捨水制御を全て自動的に行うことが出来る。
【００３９】
本発明は、上述した実施例に何ら限定されるものではなく、水質基準を判定する水質セ
ンサは、残留塩素計５ｄ以外に、水温計、ＰＨ計、濁度計など水質基準の判定に有効な各
種の水質センサからなる複合センサで構成しても良く、本発明の主旨を逸脱しない可搬可
能な範囲で、種々変形して実施することができる。
【図面の簡単な説明】
【００４０】
【図１】本発明による可搬型捨水検査装置の構成図。
【図２】従来の捨水検査の説明図。
【符号の説明】
【００４１】
１  水道配水管網
１ａ  捨水配管部
１ｂ  本管配管部
２  浄水場
３ｉ  分岐接点部
３ａ  手動弁
５  可搬型捨水検査装置
５ａ  取水配管部
５ｂ  電磁弁
５ｃ  捨水口
５ｄ  残留塩素計
５ｅ  捨水制御部
５ｆ  記録部
５ｇ  電源部
【図１】
0004537962.tif 000002
【図２】
0004537962.tif 000003